(57)【要約】【課題】パルトグラフ情報を送信、受信及び分析するための優れたシステム及び方法を提供する。【解決手段】パルトグラフ情報を送信し分析するシステムであって、パルトグラフ情報を入力として受信するクライアント装置を備え、入力はワイヤレス通信ネットワークを経てパルトグラフ処理サーバへ送信可能であり、パルトグラフ処理サーバは、パルトグラフ情報を受信し、パルトグラフ情報を標準フォーマットに合致させ、パルトグラフ情報を少なくとも１つのコンピュータ装置へ広めるように構成されたシステムが提供される。好ましくは、パルトグラフ処理サーバは、パルトグラフ情報を１つ以上の異常状態に対して分析し、少なくとも１つのコンピュータ装置及びクライアント装置へアラートを与える分析器を更に備える。又は、分析器は、ソフトウェアアプリケーションの形態でクライアント装置にインストールされる。【選択図】図１
2015504706.tif 000002
【特許請求の範囲】
【請求項１】
パルトグラフ情報を送信、受信及び分析するためのシステムにおいて、
パルトグラフ情報を入力として受信するためのクライアント装置を備え、
前記パルトグラフ情報は、通信ネットワークを経てパルトグラフ処理サーバへ送信可能であり、
前記パルトグラフ処理サーバは、前記パルトグラフ情報を受信し、前記パルトグラフ情報を標準フォーマットに合致させ、及び前記パルトグラフ情報を少なくとも１つのコンピュータ装置へ広めるように構成された、
システム。
【請求項２】
前記パルトグラフ処理サーバは、
前記受信したパルトグラフ情報を分析して、少なくとも１つの異常状態を決定するための分析器、
を備える、請求項１に記載のシステム。
【請求項３】
前記クライアント装置は、
パルトグラフ情報を分析して、少なくとも１つの異常状態を決定するための分析器、
を備える、請求項１に記載のシステム。
【請求項４】
前記パルトグラフ情報は、単位時間当たりの子宮頚拡張及び単位時間当たりの胎児位置を含む、請求項１に記載のシステム。
【請求項５】
前記分析器は、以下の異常状態、
即ち、持続性活動段階、子宮頚管拡張の二次停止、長期減速段階、下降不全、持続性下降、及び下降停止、
のうち少なくとも１つを検出するための検出アルゴリズムを含む、請求項２又は３に記載のシステム。
【請求項６】
前記通信ネットワークはテレコミュニケーションネットワークである、請求項１に記載のシステム。
【請求項７】
前記パルトグラフ情報は、
ショートメッセージサービス（ＳＭＳ）メッセージとして、
非構造化補足サービスデータ（ＵＳＳＤ）メッセージとして、及び／又は、
ＧＰＲＳ、３Ｇといったセルラーデータネットワーク経由で、
送信される、請求項６に記載のシステム。
【請求項８】
異常状態が決定されたときに、通知メッセージの形態のアラートが発生される、請求項２又は３に記載のシステム。
【請求項９】
前記アラートは、ＳＭＳメッセージ又はＵＳＳＤメッセージである、請求項８に記載のシステム。
【請求項１０】
パルトグラフ情報を送信、受信及び分析するための方法において、
ａ．クライアント装置からパルトグラフ情報を受信するステップと、
ｂ．前記受信したパルトグラフ情報をパルトグラフ処理サーバへ送信するステップと、
ｃ．前記パルトグラフ情報を標準フォーマットに合致すべく処理するステップと、
ｄ．前記処理された情報を少なくとも１つのコンピュータ装置へ広めるステップと、
を含む方法。
【請求項１１】
前記処理された情報を広める前に少なくとも１つの異常状態があるかどうか決定するためにパルトグラフ情報を分析するステップ、
を更に含む、請求項１０に記載の方法。
【請求項１２】
異常状態が決定されたときに前記クライアント装置及び／又はコンピュータ装置のユーザを促すためのアラートを発生するステップ、
を更に含む、請求項１１に記載の方法。
【請求項１３】
前記パルトグラフ情報は、単位時間当たりの子宮頚管拡張及び単位時間当たりの胎児位置を含む、請求項１０に記載の方法。
【請求項１４】
前記異常状態は、以下もの、
即ち、持続性活動段階、子宮頚管拡張の二次停止、長期減速段階、下降不全、持続性下降、及び、下降停止、
のうち少なくとも１つを含む、請求項１１に記載の方法。
【請求項１５】
前記パルトグラフ情報は、
ショートメッセージサービス（ＳＭＳ）メッセージとして、
非構造化補足サービスデータ（ＵＳＳＤ）メッセージとして、及び／又は、
ＧＰＲＳ、３Ｇといったセルラーデータネットワーク経由で、
送信される、請求項１４に記載の方法。
【請求項１６】
コンピュータソフトウェアインストラクションを含む移動装置であって、
該コンピュータソフトウェアインストラクションを実行するときに、請求項１０〜１５のいずれか一項に記載の方法が実行される移動装置であり、
該移動装置はクライアント装置である、
移動装置。
【発明の詳細な説明】
【技術分野】
【０００１】
本発明は、パルトグラフ情報を送信、受信及び分析するためのシステム及び方法に関する。このシステム及び方法は、通信ネットワークを経てパルトグラフ情報を送信するのに特に適したものであり、これに関して以下に説明する。
【背景技術】
【０００２】
本発明に対する背景技術の以下の説明は、本発明の理解を容易にするものに過ぎない。この説明は、参照されるいずれの資料も、本発明の優先権日に管轄区において発表され、周知され、又は当業者の共通の一般的知識の一部分であったことを認めるものでも許すものでもないことを理解されたい。
【０００３】
パルトグラム又はパルトグラフは、妊婦の分娩過程を監視して、安全な分娩を助成するために使用されている。慣習的に、パルトグラフは、手による記録に基づくが、手書きの読み難さ及びそれに関連した問題から非効率的で且つ誤りを生じる傾向があり、例えば、情報の誤った解釈及び／又は誤った読みを招くことがある。
【０００４】
電子パルトグラフは、上述した手による記録をある程度軽減する。ｅＰａｒｔｏｇｒａｍ（www.epartogram.eu）のような電子パルトグラフは、世界保健機関パルトグラムにより公式化された管理及び基準に関する規格に基づいて、分娩日を記録し、そしてアラート及びアクションラインをもつチャートを発生する。
【発明の概要】
【発明が解決しようとする課題】
【０００５】
電子パルトグラフは、手による記録に関連した欠点をある程度軽減するが、現在の電子パルトグラフは、担当医師を機敏で迅速な判断に至らせるべく助成し又は通知できるようにパルトグラフ情報をまとめ、共有し及び分析する有効な手段を有していない。加えて、現在の電子パルトグラフは、標準的な提示方法がないために、使用することも理解することも困難である。
【０００６】
以上に加えて、担当医師を機敏で迅速な判断に至らせるべく助成するために便宜性及び使い易さを向上するように移動装置においてパルトグラフ情報を容易に入手できるようにする必要性もある。
【０００７】
本発明は、前記問題の１つ以上を軽減することに向けられる。
【課題を解決するための手段】
【０００８】
本発明の第１の態様によれば、パルトグラフ情報を送信、受信及び分析するためのシステムにおいて、パルトグラフ情報を入力として受信するためのクライアント装置を備え、パルトグラフ情報は、通信ネットワークを経てパルトグラフ処理サーバへ送信可能であり、パルトグラフ処理サーバは、パルトグラフ情報を受信し、パルトグラフ情報を標準フォーマットに合致させ、そしてそのパルトグラフ情報を少なくとも１つのコンピュータ装置へ広めるように構成された、システムが提供される。
【０００９】
好ましくは、パルトグラフ処理サーバは、受信したパルトグラフ情報を分析して、少なくとも１つの異常状態を決定するための分析器を備えている。
【００１０】
好ましくは、クライアント装置は、パルトグラフ情報を分析して、少なくとも１つの異常状態を決定するための分析器を備えている。
【００１１】
好ましくは、パルトグラフ情報は、単位時間当たりの子宮頚管拡張及び単位時間当たりの胎児位置を含む。
【００１２】
上述した分析器は、好ましくは、次の異常状態、即ち持続性活動段階、子宮頚管拡張の二次停止、長期減速段階、下降不全、持続性下降、及び下降停止、の少なくとも１つを検出するための検出アルゴリズムを含む。
【００１３】
好ましくは、通信システムは、テレコミュニケーションネットワークである。
【００１４】
好ましくは、パルトグラフ情報は、ショートメッセージサービス（ＳＭＳ）メッセージ、非構造化補足サービスデータ（ＵＳＳＤ）メッセージとして、及び／又はＧＰＲＳ、３Ｇ、等のセルラーデータネットワークを経て、送信される。
【００１５】
好ましくは、異常状態が決定されたときに、通知メッセージの形態のアラートが発生される。アラートは、ＳＭＳ又はＵＳＳＤメッセージである。
【００１６】
本発明の第２の態様によれば、パルトグラフ情報を送信、受信及び分析するための方法において、ａ．クライアント装置からパルトグラフ情報を受信するステップ、ｂ．その受信したパルトグラフ情報をパルトグラフ処理サーバへ送信するステップ、ｃ．そのパルトグラフ情報を標準フォーマットに合致すべく処理するステップ、及びｄ．その処理された情報を少なくとも１つのコンピュータ装置へ広めるステップ、を含む方法が提供される。
【００１７】
好ましくは、前記方法は、前記処理された情報を広める前に少なくとも１つの異常状態があるかどうか決定するためにパルトグラフ情報を分析するステップを含む。
【００１８】
好ましくは、前記方法は、異常状態が決定されたときにクライアント装置及び／又はコンピュータ装置のユーザを促すためのアラートを発生するステップを更に含む。
【００１９】
好ましくは、パルトグラフ情報は、単位時間当たりの子宮頚管拡張及び単位時間当たりの胎児位置を含む。
【００２０】
好ましくは、異常状態は、次のもの、即ち持続性活動段階、子宮頚管拡張の二次停止、長期減速段階、下降不全、持続性下降、及び下降停止、の少なくとも１つを含む。
【００２１】
好ましくは、パルトグラフ情報は、ショートメッセージサービス（ＳＭＳ）メッセージ、非構造化補足サービスデータ（ＵＳＳＤ）メッセージとして、及び／又はＧＰＲＳ、３Ｇ、等のセルラーデータネットワークを経て、送信される。
【００２２】
本発明の第３の態様によれば、コンピュータソフトウェアインストラクションを含む移動装置であって、そのソフトウェアインストラクションを実行するときには、前記第２の態様による方法が遂行される、クライアント装置である移動装置が提供される。
【００２３】
以下、添付図面を参照して、本発明を一例として説明する。
【図面の簡単な説明】
【００２４】
【図１】本発明の一実施形態に基づきパルトグラフ情報を送信しそしてそれを分析するためのシステムの概略図である。
【図２】本発明の一実施形態に基づきパルトグラフ情報を送信しそしてそれを分析するためのシステムのユーザインターフェイスを示す図である。
【図３】パルトグラフ情報を送信しそしてそれを分析するための方法のフローチャートである。
【図４】世界保健機関（ＷＨＯ）により提供され、本発明の実施形態により使用される規範的なパルトグラフを示す図である。
【発明を実施するための形態】
【００２５】
本発明の他の構成も考えられ、従って、添付図面は、本発明の前記説明の一般性に取って代わるものとして理解されてはならない。
【００２６】
本発明の一実施形態によれば、パルトグラフ情報を送信し、受信しそしてそれを分析するためのシステム１０が提供される。この実施形態の環境において、パルトグラフ情報の送信及び受信は、クライアント装置１２と通信ネットワーク１４との間で行われる。
【００２７】
クライアント装置１２は、通信ネットワーク１４とデータを通信することができる。好ましくは、通信ネットワーク１４は、ワイヤレス通信ネットワークである。通信ネットワーク１４がワイヤレス通信ネットワークである場合に、データ通信は、これに限定されないが、ＷｉＦｉ、ＧＰＲＳ、３Ｇ、エンハンストデータレート・フォー・ＧＳＭ（登録商標）エボリューション（ＥＤＧＥ）、等を含む種々の通信プロトコルを経て行われる。
【００２８】
クライアント装置１２は、パーソナルコンピュータ、ラップトップコンピュータ、移動電話、又は他のコンピュータ装置である。最低限の要件として、クライアント装置１２は、単純なテキストの形態のパルトグラフ情報を送信及び受信できねばならず、且つ上述したように、少なくとも１つの通信プロトコルを経て通信できねばならない。
【００２９】
ここに示す例として、クライアント装置１２は、スマートホンであるのが好ましい。スマートホン１２は、パルトグラフ情報の送信及び受信に特に適した専用のソフトウェアアプリケーション１８がインストールされる。専用のソフトウェアアプリケーション１８は、‘Ａｎｄｒｏｉｄ（登録商標）’、‘ｉｐｈｏｎｅ（登録商標）’、又は当業者に知られたスマートホン用の他のプラットホームに対する特にダウンロード用のアプリケーション、又は口語的に知られた‘ａｐｐ’である。
【００３０】
専用のソフトウェアアプリケーション１８は、次のものに限定されないが、それらを含むパルトグラフ情報及びデータを入力するためのクライアント装置１２のユーザ用のユーザインターフェイスを含む。
ａ．名前、年齢、医療施設への入院日、分娩開始時間、等の個人的情報、
ｂ．適当な資格をもつ医師により入力されるべき初期査定情報、即ち子宮頚管拡張、胎児位置（即ち、赤子の先進部、即ち頭部、肩部、臀部又は足、及び坐骨脊柱と称される母の骨盤の２つの部分の間の関係）、断裂した膜（もしあれば）、膜の断裂からの時間、羊水の色、新の分娩の開始かどうか、毎分観察される収縮、膣の出血があるかどうか、等、を含む情報、及び、
ｃ．分娩が進むにつれて監視される状態、即ち胎児の心拍数、血圧、脈拍、尿量Ｕ／Ｏ、及びオキシトシン（出産を容易にするための）が施され／開始又は停止されたかを含む状態。
【００３１】
専用のソフトウェアアプリケーション１８のユーザインターフェイスの一例が図２に示されている。
【００３２】
専用のソフトウェアアプリケーション１８は、前記項目ａからｃに示されたパルトグラフ情報の１つ以上を分析するためのアルゴリズム（以下に述べる）を含む。
【００３３】
通信ネットワークは、テレコミュニケーションネットワークの一部分であるが、それに限定されない。通信ネットワークは、パルトグラフ処理サーバ１６とデータ通信するように動作する。
【００３４】
パルトグラフ処理サーバ１６は、クライアント装置１２から入力を受け取る。クライアント装置１２に分析アルゴリズムをインストールするのとは別に、パルトグラフ処理サーバ１６は、クライアント装置１２から受信したパルトグラフ情報を分析しそして患者４０の分娩状態／進行を表わす出力を返送するアルゴリズムを含むソフトウェアもインストールされる。
【００３５】
パルトグラフ処理サーバ１６は、クライアント装置１２から異なるデータ接続を経て入力を受け取るように構成される。移動装置１２は、テレコミュニケーションネットワーク、ＷｉＦｉを経ての通常のインターネット接続、ＳＭＳ／ＭＭＳ、等を使用して、パルトグラフ処理サーバ１６へ入力データを送信する。パルトグラフ処理サーバ１６は、更に、患者に関するヘルスデータを共有するためにヘルスケアの提供者用に開発された安全ヘルス情報ネットワーク及び交換（ＳＨＩＮＥ）システムを備えている。入力データを受け取ると、パルトグラフ処理サーバ１６は、受け取ったパルトグラフ情報を普及のための標準フォーマットに適合させる。そのようなフォーマットの一例は、図４に示した変更型ＷＨＯパルトグラフである。この標準フォーマットは、少なくとも１つのコンピュータ装置２０へ送信され、及び／又はクライアント装置１２へ返送される。パルトグラフ処理サーバ１６と少なくとも１つのコンピュータ装置２０との間の接続は、物理的データ接続又はワイヤレス手段のいずれかを経るものである。
【００３６】
パルトグラフ処理サーバ１６は、更に、患者である各ユーザのプロフィールを記憶するためのデータベース２６を備えている。各ユーザのプライバシーを維持するために、データベース２６には適当なセキュリティ設定が必要である。
【００３７】
図３を参照して、クライアント装置１２のユーザがパルトグラフ処理サーバ１６へパルトグラフ情報を送信することに関してシステム１０の動作を以下に説明する。クライアント装置１２のユーザは、一般的に、医師又は医療従事者である。
【００３８】
ステップ２００において、分娩の患者４０が医療施設（例えば、産院）へ行く。ドクターのような医師又は他の医療要員が患者に付き添う（ステップ２０２）。アシスタント（医療従事者）、通常、看護士が、（‘Ｍｐａｒｔｏｇｒａｐｈ’としても知られている）専用パルトグラフソフトウェアアプリケーションがインストールされたクライアント装置１２を使用して、パルトグラフデータを記録するのを手伝う（ステップ２０４）。
【００３９】
Ｍｐａｒｔｏｇｒａｐｈは、入力されたデータを分析し、ソフトウェアにインストールされたアルゴリズムに基づいて判断のアドバイスを与える（ステップ２０６）。クライアント装置にＭｐａｒｔｏｇｒａｐｈソフトウェアがインストールされていない場合には、Ｍｐａｒｔｏｇｒａｐｈがインストールされたパルトグラフ処理サーバ１６で分析を行ってもよい。
【００４０】
分析された情報は、通信ネットワーク１４を経てパルトグラフ処理サーバ１６へ送られる（ステップ２０８）。パルトグラフ処理サーバ１６は、パルトグラフデータを他のコンピュータ装置２０へも送信する。コンピュータ装置２０は、助産婦、麻酔医、等の他の関係医師の作業用デスクトップである。
【００４１】
パルトグラフ情報の判断ロジック及び分析は、次のように行われる。
【００４２】
パルトグラフ情報を分析するステップは、アルゴリズムに基づいている。アルゴリズムは、受け取った入力に基づき次のような異常を検出することに基づくものである。
ａ．持続性活動段階、
ｂ．子宮頚管拡張の二次停止、
ｃ．長期減速段階、
ｄ．下降不全、
ｅ．持続性下降、及び、
ｆ．下降停止。
【００４３】
各異常を決定する目的でパルトグラフ情報を分析するための擬似コード及びアルゴリズムについて以下に述べる。
【００４４】
ａ．持続性活動段階
擬似コード（時間の関数としての子宮頚管拡張に基づく）は、
ｉ．子宮頚管拡張≧４ｃｍ及びパリティ＝０であって且つ４ｃｍ後のトレンドラインが＜１．２ｃｍ拡張／時を示すか、又は、
ｉｉ．子宮頚管拡張≧４ｃｍ及びパリティ≧１であって且つ４ｃｍ後のトレンドラインが＜１．５ｃｍ拡張／時を示す場合には、アラートを示す。
【００４５】
アラートメッセージは、「患者は、持続性活動段階にある。胎児の位置異常、ＣＰＤ、又は低緊張収縮についてチェックせよ。必要に応じて留意せよ。」の形態である。
【００４６】
ｂ．子宮頚管拡張の二次停止
擬似コード（時間の関数としての子宮頚管拡張に基づく）は、
ｉ．子宮頚管拡張≧４ｃｍ及び２時間後に拡張の増加がない場合には、アラートを示す。
【００４７】
アラートメッセージは、「患者は、子宮頚管拡張の二次停止にある。ＣＰＤ、胎児の位置異常、又は低緊張子宮収縮についてチェックせよ。」の形態である。
【００４８】
ｃ．長期減速段階
擬似コード（時間の関数としての子宮頚管拡張に基づく）は、
ｉ．子宮頚管拡張＞９ｃｍ及び子宮頚管拡張＜１０ｃｍ並びにパリティ＝０であって、且つ子宮頚管拡張が１０に到達するために経過する時間が＞１時間である場合には、アラートを示すか、或いは、
ｉｉ．子宮頚管拡張＞９及び子宮頚管拡張＜１０ｃｍ並びにパリティ≧１であって、且つ子宮頚管拡張が１０に到達するために経過する時間が＞１時間である場合には、アラートを示す。
【００４９】
アラートメッセージは、「患者は、長期減速段階にある。胎児の位置が＋１以上である場合には、胎児の位置異常又は低緊張収縮をチェックし、又、胎児の位置が＋１未満である場合には、ＣＰＤを考えよ。」の形態である。
【００５０】
ｄ．下降不全
擬似コード（時間の関数としての子宮頚管拡張及び時間の関数としての胎児の位置に基づく）は、
ｉ．子宮頚管拡張＝１０及び胎児の位置＝−４且つ１時間以上が経過し及び胎児の位置に変化がない場合には、アラートを示す。
【００５１】
アラートメッセージは、「ＣＰＤによる下降不全がある。直ちに留意せよ。」の形態である。
【００５２】
ｅ．持続性下降
擬似コード（時間の関数としての子宮頚管拡張及び時間の関数としての胎児の位置に基づく）
ｉ．パリティ＝０及び子宮頚管拡張＝１０ｃｍ及び胎児の位置＞−４ｃｍ、並びにトレンドラインが＜１位置変化／時間を示す場合、又は、
ｉｉ．パリティ≧１及び子宮頚管拡張＝１０ｃｍ及び胎児の位置＞−４ｃｍ、並びにトレンドラインが＜２位置変化／時間を示す場合、
アラートメッセージは、「患者は、持続性下降にある。ＣＰＤ、低緊張収縮、胎児の位置異常について考えよ。」の形態である。
【００５３】
ｆ．下降の停止
擬似コード（時間の関数としての子宮頚管拡張及び時間の関数としての胎児の位置に基づく）
ｉ．子宮頚管拡張＝１０ｃｍ及びパリティ＝０及び胎児の位置＞−４並びに２時間以上後に胎児の位置に変化がない場合、
アラートメッセージは、患者は、下降の停止にある。低緊張収縮、胎児の位置異常、ＣＰＤについて考えよ。必要に応じて留意せよ。」の形態である。
【００５４】
本発明の別の実施形態によれば、パルトグラフ情報を送信しそしてそれを分析するための方法１００が提供される。この方法は、パルトグラフ情報をクライアント装置１２において受信し、パルトグラフ情報をパルトグラフ処理サーバ１６へ送信し、パルトグラフ情報を標準フォーマットに合致させ、パルトグラフ情報を少なくとも１つのコンピュータ装置２０へ広め、パルトグラフ情報を分析して少なくとも１つ以上の状態を決定し、及び任意であるが、コンピュータ装置２０へアラートを返送する、という段階を含む。パルトグラフ情報は、次のパラメータを入力として参照する。
ａ．時間の関数としての子宮頚管拡張、及び、ｂ．時間の関数としての胎児の位置。
【００５５】
次のＵＲＬにおいて他の考えられるパルトグラフ情報を見ることができる。
http://www.who.int/making pregnancysafer/documents/924159084x/en/index.html、
特に１７０ページ。これは、変更型ＷＨＯパルトグラフの次のパラメータ／入力を指すが（ページ１７０）、これに限定されない。
１．膜断裂以来の時間
２．迅速な査定
３．膣出血
４．羊水
５．１０分間の収縮回数
６．胎児の心拍数
７．排尿
８．体温
９．脈拍
１０．ＢＰ
１１．胎盤の娩出
１２．オキシトシン
１３．問題ノート（これは、他の所見である）。
【００５６】
特に、項目２の迅速な査定は、更に、次の状態を伴うドロップダウンリストを含む。
i．呼吸困難
ii．チアノーゼ
iii．風邪及び湿潤皮膚
iv．弱脈及び速脈
v．痙攣
vi．意識消失
vii．激しい腹痛
viii．発熱＞３８℃及び非常に速い呼吸／首硬直／嗜眠／衰弱。
【００５７】
迅速な査定に関連して選択された状態は、少なくともクライアント装置１２のプロンプト／アラートを、緊急留意を要求する作用、例えば、「患者をＣＥＭＯＮＣセンターにおいて安定させる必要がある。必要に応じて留意せよ。」へとトリガーすることが明らかである。
【００５８】
パルトグラフ情報を分析するステップは、先の実施形態において上述したアルゴリズムに基づく。
【００５９】
本発明は、パルトグラフのフィールドに生じる応答に基づく判断実行ツールロジックを提供することにより従来技術の制約に対処する。
【００６０】
既存の電子又は手動パルトグラフの慣習的な設定は、フォームを埋めて、そのコピーを（メール、ファックス、コピーのスキャンを通して、又は患者自身により）、それを必要としている医師／ドクターへ送付することである。この設定に伴う欠点は、誤って入れられるデータ又は変換中に失われるデータに対してもかなりオープンとなっていることである。パルトグラフは、標準フォーム及びフィールドを有しているが、それを読む個人によって異なる解釈をすることになり得る。
【００６１】
ここに提案する発明は、パルトグラフ情報をバックエンドの処理サーバ（即ち、パルトグラフ処理サーバ１６）へ送信し、そして受信者がそのデータを理解し易い標準フォーマットで読み取りできるようにすることで、この問題の解消を追求する。
【００６２】
上述した実施形態は、以下に詳細に述べるような本発明の例示でなされたものに過ぎず、又、当業者に明らかとなる更なる変更及び改善は、本発明の広い範囲及び領域内に包含されることを理解されたい。
・上述した実施形態におけるヘルス提供者は、患者に医療サービスを提供する施設を意味する。それらは、クリニックから、病棟、診療所、及び病院の範囲である。
・クライアント装置は、スマートホンであるのが好ましいが、実際には、既存の移動ネットワークに接続して、音声コール及びＳＭＳのようなサービスを利用する能力が装備された任意の種類の移動装置である。
・本発明、即ち移動パルトグラフは、患者が分娩中である施設にはいない医師へリアルタイムでデータを送出する。そのような設定を機能させるため、本発明は、リアルタイムデータ処理及び通信を可能にするメカニズムに結合されねばならない。
・移動装置がラップトップ又はデスクトップコンピュータである場合には、専用のソフトウェアアプリケーション１８は、パルトグラフデータを入力し及びログインするためのユーザインターフェイスを形成するウェブベースアプリケーションの形態である。
・パルトグラフ情報を分析するためのアルゴリズムは、クライアント装置１２にインストールされるか、又はパルトグラフ処理サーバ１６に存在する。
【００６３】
更に、本発明の範囲から逸脱せずに、上述した実施形態の種々の態様を結合して更に別の実施形態を形成できることも明らかであろう。
【符号の説明】
【００６４】
１２…クライアント装置、１４…通信ネットワーク、１６…パルトグラフ処理サーバ、１８…ソフトウェアアプリケーション、２０…コンピュータ装置、２６…データベース、４０…患者。
【図１】
2015504706.tif 000003
【図２】
2015504706.tif 000004
【図３】
2015504706.tif 000005
【図４】
2015504706.tif 000006
【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
パルトグラフ情報を送信、受信及び分析するためのシステムにおいて、
パルトグラフ情報を入力として受信するためのクライアント装置を備え、
前記パルトグラフ情報は、通信ネットワークを経てパルトグラフ処理サーバへ送信可能であり、
前記パルトグラフ処理サーバは、データベースへアクセスして前記パルトグラフ情報を受信し、前記パルトグラフ情報を標準フォーマットに合致させ、及び前記パルトグラフ情報を少なくとも１つのコンピュータ装置へ広めるように構成され、
前記パルトグラフ情報は、単位時間当たりの子宮頚拡張及び単位時間当たりの胎児位置を含む、
システム。
【請求項２】
前記パルトグラフ処理サーバは、
前記受信したパルトグラフ情報を分析して、少なくとも１つの異常状態を決定するための分析器、
を備える、請求項１に記載のシステム。
【請求項３】
前記クライアント装置は、
パルトグラフ情報を分析して、少なくとも１つの異常状態を決定するための分析器、
を備える、請求項１に記載のシステム。
【請求項４】
前記データベースは、セキュアなデータベースであり、前記パルトグラフ情報は、患者のプロファイル情報を含む、請求項１に記載のシステム。
【請求項５】
前記分析器は、以下の異常状態、
即ち、持続性活動段階、子宮頚管拡張の二次停止、長期減速段階、下降不全、持続性下降、及び下降停止、
のうち少なくとも１つを検出するための検出アルゴリズムを含む、請求項２又は３に記載のシステム。
【請求項６】
前記通信ネットワークはテレコミュニケーションネットワークである、請求項１に記載のシステム。
【請求項７】
前記パルトグラフ情報は、
ショートメッセージサービス（ＳＭＳ）メッセージとして、
非構造化補足サービスデータ（ＵＳＳＤ）メッセージとして、及び／又は、
ＧＰＲＳ、３Ｇといったセルラーデータネットワーク経由で、
送信される、請求項６に記載のシステム。
【請求項８】
異常状態が決定されたときに、通知メッセージの形態のアラートが発生される、請求項２又は３に記載のシステム。
【請求項９】
前記アラートは、ＳＭＳメッセージ又はＵＳＳＤメッセージである、請求項８に記載のシステム。
【請求項１０】
パルトグラフ情報を送信、受信及び分析するための方法において、
ａ．クライアント装置からパルトグラフ情報を受信するステップと、
ｂ．前記受信したパルトグラフ情報をパルトグラフ処理サーバへ送信するステップと、
ｃ．前記パルトグラフ処理サーバがデータベースへアクセスしてパルトグラフ情報を取り出すステップと、
ｄ．前記パルトグラフ情報を標準フォーマットに合致すべく処理するステップと、
ｅ．前記処理された情報を少なくとも１つのコンピュータ装置へ広めるステップと、
を含み、
前記パルトグラフ情報は、単位時間当たりの子宮頚拡張及び単位時間当たりの胎児位置を含む、
方法。
【請求項１１】
前記処理された情報を広める前に少なくとも１つの異常状態があるかどうか決定するためにパルトグラフ情報を分析するステップ、
を更に含む、請求項１０に記載の方法。
【請求項１２】
異常状態が決定されたときに前記クライアント装置及び／又はコンピュータ装置のユーザを促すためのアラートを発生するステップ、
を更に含む、請求項１１に記載の方法。
【請求項１３】
前記データベースは、セキュアなデータベースであり、前記パルトグラフ情報は、患者のプロファイル情報を含む、請求項１０に記載の方法。
【請求項１４】
前記異常状態は、以下もの、
即ち、持続性活動段階、子宮頚管拡張の二次停止、長期減速段階、下降不全、持続性下降、及び、下降停止、
のうち少なくとも１つを含む、請求項１１に記載の方法。
【請求項１５】
前記パルトグラフ情報は、
ショートメッセージサービス（ＳＭＳ）メッセージとして、
非構造化補足サービスデータ（ＵＳＳＤ）メッセージとして、及び／又は、
ＧＰＲＳ、３Ｇといったセルラーデータネットワーク経由で、
送信される、請求項１４に記載の方法。
【請求項１６】
コンピュータソフトウェアインストラクションを含む移動装置であって、
該コンピュータソフトウェアインストラクションを実行するときに、請求項１０〜１５のいずれか一項に記載の方法が実行される移動装置であり、
該移動装置はクライアント装置である、
移動装置。
【国際調査報告】
2015504706.tif 000007
2015504706.tif 000008
2015504706.tif 000009
2015504706.tif 000010
2015504706.tif 000011